(57)【要約】【課題】持ち運びが容易な遊技盤を提供することを目的とする。【解決手段】合成樹脂製の遊技板の表面に多数の遊技釘が打ち付けられた遊技盤を有するパチンコ遊技機において、遊技板１０の対向する端面に、板厚方向に沿って凹陥・凸出する凹凸加工部１０ｂを板厚と直交する方向に連続形成する。凹凸加工部１０ｂが滑り止めとなり、作業者が凹凸加工部１０ｂを握持して容易に遊技盤１００を持ち運ぶことが可能となる。【選択図】図１
2010268896.tif 000002
【特許請求の範囲】
【請求項１】
合成樹脂製の遊技板の表面に多数の遊技釘が打ち付けられた遊技盤を有するパチンコ遊技機において、
前記遊技板の対向する端面の少なくとも一部に、板厚方向に沿って凹陥・凸出する凹凸加工部を板厚と直交する方向に連続形成したことを特徴とするパチンコ遊技機。
【請求項２】
遊技板の中央に形成された、装飾図柄表示装置が取り付けられる取付開口部の内縁面に、板厚方向に沿って凹陥・凸出する凹凸加工部を板厚と直交する方向に連続形成したことを特徴とする請求項１に記載のパチンコ遊技機。
【発明の詳細な説明】
【技術分野】
【０００１】
本発明は、合成樹脂製の遊技板の改良に関する。
【背景技術】
【０００２】
特許文献１に示されるように、遊技釘が打ち付けられる遊技板を樹脂で射出成形した遊技盤を有するパチンコ遊技機が知られている。このようなパチンコ遊技機は、従来の木製合板の遊技板を有するパチンコ遊技機と比べて、遊技板に用いられる合成樹脂を、リサイクルすることができる点で省資源化に有効である。また、遊技板の背後に電飾装置を配設し、当該電飾装置が発光する光を透過させて視認させることにより、演出性に富み、魅力的なパチンコ遊技機を提供することが可能となっている。
【０００３】
このよう遊技盤１００は、図３に示されるように、合成樹脂製の遊技板１０に多数の下穴を形成し、各下穴に遊技釘９９を遊技板１０の表面側から圧入して、遊技釘９９を遊技板１０に打ち付けている。例えば、下穴の内径は１．８〜１．９ｍｍであり、遊技釘９９の外径は２．０ｍｍである。このように、遊技釘９９の外径よりも小さい内径の下穴に遊技釘９９を圧入することにより、遊技釘９９の下穴からの脱落を防止している。図３に示されるように、遊技板１０の中央部分には取付開口部１０ａが形成されていて、この取付開口部１０ａに装飾図柄表示装置や電飾装置が取り付けられ、更に、遊技板１０の裏面側に制御基盤ユニットが取り付けられて、遊技盤１００が構成されている。
【０００４】
パチンコ遊技機５００は、図４に示されるように、遊技島等の設置場所に取り付けられる外枠２００を有していて、この外枠２００の前方には、内枠３００及び前面枠４００が、外枠２００の側端に設けられたヒンジ部２００ａに開閉自在に取り付けられている。内枠３００内には、遊技盤１００が嵌め込まれて取り付けられるようになっている。前面枠４００はガラス板４０１を保持していて、ガラス板４０１を通して、遊技盤１００が遊技者に視認されるようになっている。このようにパチンコ遊技機５００を構成することにより、前面枠４００や内枠３００を開放させて、パチンコ遊技機５００のメンテナンス作業を容易に行うことができるようになっている。
【先行技術文献】
【特許文献】
【０００５】
【特許文献１】特開平５−２９３２１５号公報
【発明の概要】
【発明が解決しようとする課題】
【０００６】
遊技板１０は遊技釘９９をその下穴で保持する必要があるため、ある程度の板厚が必要であり、また、遊技板１０には装飾図柄表示装置や電飾装置、制御基盤ユニットが取り付けられることから、遊技盤１００の質量は約３０ｋｇに達する。パチンコ遊技機５００を製造する際に、作業者は遊技盤１００を持ち運んで内枠３００内に嵌め込んで取り付けている。従来では、遊技板はブナとラワンの合板で構成されていたため、その端面がざらついていて持ち運びの際の摩擦力を十分に備えていたが、遊技板１０を合成樹脂で構成すると、その端面は平滑面であり、前述したように遊技盤１００の質量は大きいため、遊技盤１００の持ち運びは困難であり、作業者が遊技盤１００を持ち運んでいる際に手を滑らせてしまい、遊技盤１００を破損させてしまう恐れがあった。本発明は、上記問題を解決し、持ち運びが容易な遊技盤を提供することを目的とする。
【課題を解決するための手段】
【０００７】
上記課題を解決するためになされた請求項１に記載の発明は、
合成樹脂製の遊技板の表面に多数の遊技釘が打ち付けられた遊技盤を有するパチンコ遊技機において、
前記遊技板の対向する端面の少なくとも一部に、板厚方向に沿って凹陥・凸出する凹凸加工部を板厚と直交する方向に連続形成したことを特徴とする。
【０００８】
請求項２に記載の発明は、請求項１に記載の発明において、遊技板の中央に形成された、装飾図柄表示装置が取り付けられる取付開口部の内縁面に、板厚方向に沿って凹陥・凸出する凹凸加工部を板厚と直交する方向に連続形成したことを特徴とする。
【発明の効果】
【０００９】
請求項１に記載の発明は、合成樹脂製の遊技板の表面に多数の遊技釘が打ち付けられた遊技盤を有するパチンコ遊技機において、
前記遊技板の対向する端面の少なくとも一部に、板厚方向に沿って凹陥・凸出する凹凸加工部を板厚と直交する方向に連続形成したことを特徴とする。
このため、凹凸加工部が滑り止めとなり、作業者が凹凸加工部を握持して容易に遊技盤を持ち運ぶことが可能である。
【００１０】
請求項２に記載の発明は、請求項１に記載の発明において、遊技板の中央に形成された、装飾図柄表示装置が取り付けられる取付開口部の内縁面に、板厚方向に沿って凹陥・凸出する凹凸加工部を板厚と直交する方向に連続形成したことを特徴とする。
このため、凹凸加工部で光が拡散し、装飾図柄表示装置の煩雑な内部構造が遊技者に視認されず、デザイン性を向上させることが可能となる。
【図面の簡単な説明】
【００１１】
【図１】本発明の実施の形態を示す遊技盤の斜視図である。
【図２】凹凸加工部の詳細図である。
【図３】従来の遊技盤の説明図である。
【図４】パチンコ遊技機の前面枠を開放した状態の斜視図である。
【発明を実施するための形態】
【００１２】
以下に図面を参照しつつ、本発明の好ましい実施の形態を示す。図１に示されるように、遊技盤１００の対向する端面に、板厚方向に沿って凹陥・凸出する凹凸加工部１０ｂを板厚と直交する方向に連続形成している。このため、凹凸加工部１０ｂが滑り止めとなり、作業者が凹凸加工部１０ｂを握持して、容易に遊技盤１００を持ち運ぶことが可能である。凹凸加工部１０ｂの形状としては、例えば図２の（Ａ）に示されるように、Ｖ字状に遊技板１０の板厚方向に沿って凹陥させた（言い換えるとＶ字形状に凸出させた）所謂Ｖカットや、図２の（Ｂ）に示されるように、円弧状に遊技板１０の板厚方向に沿って凸出させた所謂ボールカットが含まれる。
【００１３】
前述したように、遊技釘９９は遊技板の下穴に圧入されているので、圧入分だけ遊技板１０が変形し、遊技板１０の外縁が膨出してしまう。本発明では、遊技盤１００の端面に凹凸加工部１０ｂを形成したので、下穴への遊技釘９９の圧入による遊技板１０の変形を、凹凸加工部１０ｂの樹脂が充填されていない空間で吸収させて、遊技板１０の外縁の膨出を防止することが可能となる。このため、精度良く遊技盤１００を内枠３００に取り付けることが可能となるという副次的効果を得ることができる。
【００１４】
図１に示される実施形態では、凹凸加工部１０ｂは遊技板１０の幅方向の両端面に形成されているが、凹凸加工部１０ｂを遊技板１０の上下方向の両端面に形成しても差し支えない。また、凹凸加工部１０ｂを遊技板１０の対向する端面の一部に形成しても差し支えない。
【００１５】
遊技板１０を透明な合成樹脂で構成すると、取付開口部１０ａの内縁面から装飾図柄表示装置や電飾装置の煩雑な内部構造が、遊技者に視認されしまい意匠上好ましくない。そこで、取付開口部１０ａの内縁面に、板厚方向に沿って凹陥・凸出する凹凸加工部１０ｃを板厚と直交する方向に連続形成することにより、凹凸加工部１０ｃで光を拡散させて、装飾図柄表示装置や電飾装置の煩雑な内部構造を遊技者に直接視認させないようにしている。凹凸加工部１０ｃには、例えば前述したＶカット、ボールカットが含まれる。なお、取付開口部１０ａの端面に、凹凸加工部１０ｃを形成すると、下穴への遊技釘９９の圧入による遊技板１０の変形を、凹凸加工部１０ｃの樹脂が充填されていない空間で吸収させて、取付開口部１０ａの内縁面の膨出を防止することが可能となり、精度良く装飾図柄表示装置や電飾装置を取付開口部１０ａに取り付けることができるという副次的効果を得ることができる。
【００１６】
なお、凹凸加工部１０ｂや凹凸加工部１０ｃを板厚方向に沿って凹陥・凸出する形状としているので、遊技板１０を、固定金型と当該固定金型と離接自在に相対配置された可動金型から構成される射出成形用金型で射出成形して製造する場合に、凹凸加工部１０ｂや凹凸加工部１０ｃの形成方向が、可動金型や固定金型からの遊技板１０の離型方向と同一となり、離型が容易である。
【００１７】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うパチンコ遊技機もまた技術的範囲に包含されるものとして理解されなければならない。      
【符号の説明】
【００１８】
１０      遊技板
１０ａ    取付開口部
１０ｂ    凹凸加工部
１０ｃ    凹凸加工部
９９      遊技釘
１００    遊技盤
２００    外枠
２００ａ  ヒンジ部
３００    内枠
４００    前面枠
４０１    ガラス板
５００    パチンコ遊技機
【図１】
2010268896.tif 000003
【図２】
2010268896.tif 000004
【図３】
2010268896.tif 000005
【図４】
2010268896.tif 000006